(57)【要約】【課題】一眼レフ以外のカメラであって、特に水中カメラにおいて、ファインダーと撮像レンズとのパララックスを減少させるための照明手段を備えたカメラを提供する。【解決手段】カメラは、水中で使用することができるカメラであって、該撮像レンズの上部位置に設け、被写体を見る覗き窓を有するファインダーと、前記撮像レンズの光軸に対して水平方向の適宜位置に前記撮像レンズの光軸と平行であってその前方方向を照射する照明手段とを備えた構成にする。【選択図】　　　図１
2004094156.tif 000002
【特許請求の範囲】
【請求項１】
被写体を撮影する撮像レンズと、
該撮像レンズの上部位置に設け、被写体を見る覗き窓を有するファインダーと、
前記撮像レンズの光軸に対して水平方向の近傍位置に前記撮像レンズの光軸と平行であってその前方方向を照明する照明手段と、
を備えてなるカメラ。
【請求項２】
水中で使用することができるカメラであって、
被写体を撮影する撮像レンズと、
該撮像レンズの上部位置に設け、被写体を見る覗き窓を有するファインダーと、
前記撮像レンズの光軸に対して水平方向の近傍位置に前記撮像レンズの光軸と平行であってその前方方向を照明する照明手段と、
を備えてなるカメラ。
【発明の詳細な説明】
【０００１】
【発明の属する技術分野】
本発明は、カメラに関し、詳しくは一眼レフ以外のカメラにおいて、パララックスを減少させるための照明手段を備えたカメラに関する。
【０００２】
【従来の技術】
従来技術におけるカメラは、被写体を撮影するための撮像レンズの上部位置にファインダーを備えたものが周知である。
このようなカメラにおいて、ファインダーを覗きこんで被写体を設定し、シャッターボタンを押すことにより、撮像レンズからの被写体を撮影することができる。
ところで、被写体までの距離が短いと、ファインダーから覗きこんで見る被写体と実際に撮像レンズを介して得られた被写体との間にズレが生じる、所謂、パララックスが発生する。
具体的に示せば、図５（Ａ）に示すように、ファインダーで覗き込んで被写体をみたときにやや上方向に設定すると、実際の撮像レンズで取り込み撮像すると、下方向に被写体が写ることになる。
図５（Ｂ）に示すものは、ファインダーで覗き込んで得られた被写体を下方向に写るようにして、撮像レンズから被写体を取り込むと丁度中央位置に被写体が写るようにして取り込むことができる。
図５（Ｃ）に示すものは、ファインダーで覗きこんで得られた被写体が丁度真中になるようにして、撮像レンズから被写体を取り込むと上方向に偏った状態で写ることになる。
【０００３】
【発明が解決しようとする課題】
しかしながら、従来技術で説明したカメラにおいて、特に水中ではカメラの光軸とファインダーから覗き込んでいる軸とのズレにより、上下関係のパララックスが常に発生している。特に被写体までの撮像距離が近距離、例えば、１メートル以内の場合は余程の熟練者でないとその補正をすることが困難であるという問題がある。
【０００４】
従って、撮像レンズの光軸とファインダーの軸とが上下方向に物理的にズレているカメラにおいて、特に被写体と撮像レンズとが近距離である場合のパララックスを減少させる構成に解決しなければならない課題を有する。
【０００５】
【課題を解決するための手段】
上記課題を解決するための本願発明に係るカメラは次に示す構成にすることである。
【０００６】
（１）カメラは、被写体を撮影する撮像レンズと、該撮像レンズの上部位置に設け、被写体を見る覗き窓を有するファインダーと、前記撮像レンズの光軸に対して水平方向の近傍位置に前記撮像レンズの光軸と平行であってその前方方向を照明する照明手段と、を備えてなる。
【０００７】
（２）カメラは、水中で使用することができるカメラであって、被写体を撮影する撮像レンズと、該撮像レンズの上部位置に設け、被写体を見る覗き窓を有するファインダーと、前記撮像レンズの光軸に対して水平方向の近傍位置に前記撮像レンズの光軸と平行であってその前方方向を照明する照明手段と、を備えてなる。
【０００８】
このように、撮像レンズの光軸と水平方向の近傍位置に照明手段を備えた構成にしたことにより、ファインダーから覗き込んで被写体を見ると、被写体が上下方向で明るさの明暗を分けることができるから、その明暗の度合いをみることによりパララックスをなくした状態にして撮影することが可能になる。
【０００９】
又、この照明手段を利用することにより被写体を探したり、夜間の潜水でも容易に被写体の生物を探す等が可能で、又、照明を当てることで本来の生物の持っている色彩を知ることができるというメリットがある。
【００１０】
【発明の実施の形態】
次に、本発明に係るカメラの実施形態について、図面を参照して説明する。
【００１１】
本願発明に係るカメラは、図１及び図２に示すように、水中で使用することができる水中カメラであり、その構成は、略直方体形状に形成されたボデイ１１に撮像レンズ１２を配置してなるレンズ部１３と、ボデイ１１の頂面右側位置に設けたシャッタースイッチ１４と、頂面左側位置に設けた絞りボタン１５と、レンズ部１３の上部位置であって頂面の中央位置に設けた覗き窓を有するファインダー１６と、側面に外部ストロボに接続する外部ストロボコネクタ１７と、撮像レンズ１２の光軸に対して水平方向の近傍位置に撮像レンズ１２の光軸１８と平行であってその前方方向を照明する照明手段であるターゲットライト１９と、ボデイ１１の背面側に設けたターゲットライトオン／オフボタン２０とからなる。
【００１２】
ターゲットライト１９は、必要に応じて撮像レンズ１２の光軸１８と水平方向で合致した位置のライト軸２１から点燈（照明）するものであり、このようなライトを設けることにより、被写体の中央部分の照明度が高く、それから上下方向に行くに従い照明が少なくなる。このことはファインダーから覗いた被写体に対して被写体の最も明るい被写体の中央部分が撮像レンズでの被写体の位置となるから、これに合わせればパララックスをなくした状態での撮影が可能になる。
【００１３】
特に、近距離での撮影において威力を発揮するものであり、近距離撮影の場合は撮像レンズ１２とファインダー１６との距離が長くなるため、上下方向のパララックスが大きくなる。このときにターゲットライト１９をオンにすれば、照明の具合によりどの位置が撮像レンズ１２の光軸１８であるかが解り、ずれた被写体の撮影を回避することができる。
【００１４】
ここで、ターゲットライト１９のオン／オフは、ボデイ１１の背面に設けたターゲットライトオン／オフボタン２０によるが、是に限定されることなく、例えば、シャッタースイッチ１４に連動させ、半押し状態のときにオンさせるようにしてもよい。
実際には、図示しないが、シャッタースイッチ１４が半押し状態のときにターゲットライト１９を点燈させるようにし、シャッタースイッチ１４がオンされたときに、ターゲットライト１９をオフにすると同時に外部ストロボコネクタ１７に接続されているストロボがオンして撮影する制御回路を備えた構成になっている。
又、ターゲットライト１９のオンは、シャッタースイッチ１４の半押しされたときにオンするように限定されるものではなく、被写体によっては光に極端に怯えるものもあるため、ターゲットライトオン／オフボタン２０を手動でオン／オフして点燈／不点燈することもできる。
【００１５】
さて、ファインダー１６を覗き込んで近距離撮影するときに、パララックスを減少させた状態で撮影できる点について、図３及び図４を参照して更に詳しく説明する。
先ず、ターゲットライト１９とファインダー１６から見ることができるファインダー被写体範囲３１、撮像レンズ１２で撮影することができる撮像レンズ被写体範囲３２、被写体３３との関係を示すと、光軸１８と平行な位置にターゲットライト１９のライト軸２１が存在し、撮像レンズ被写体範囲３２内の略中央位置に被写体３３が存在するものとする。そうすると、ファインダー被写体範囲３１で見える被写体３３は、被写体３３の上部半分ぐらいが下部位置に捉えることができる。この差は、撮像レンズ１２とファインダー１６との上下位置の差に起因するものである。
この状態でターゲットライト１９をオンすると、照明はカメラから向かって被写体３３の左側方向からなされる。今、照明範囲３４が被写体３３の半分程度まで及ぶとすると、図３に示すように、撮像レンズ被写体範囲３２における、被写体３３への照明の効果は、光軸に平行な線の光線Ｓ１は一番強く、次の光線Ｓ２、Ｓ３、…Ｓ４、Ｓ５の順に暗くなる。
これを、ファインダー１６で見たファインダー被写体範囲３１でみると、図４に示すように、下部位置に見える被写体３３に対して、最も明るい光線Ｓ１１が光軸１８であり、この光線Ｓ１１を中心にして離れる方向の光線Ｓ１２、Ｓ１３、…、Ｓ１４、Ｓ１５に行くにつれて暗くなる。従って、ファインダー１６で見える被写体３３の最も明るい光線Ｓ１１の位置を被写体範囲３１の下部位置に合わせるようにすれば、撮像レンズ被写体範囲３２に存在する被写体３３は略中央位置にすることができるのである。
これは、撮像レンズ１２とファインダー１６との物理的的な上下関係の距離差が顕著に現れてくる近距離撮影の場合には特に有効である。
【００１６】
又、ターゲットライト１９は、近距離撮影のときに特にパララックスを減少させることができることに加えて、様々な使用勝手が存在する。例えば、岩陰に生息する生物を探したり、夜間の潜水でも容易に被写体の生物を探すことができる。或いは照明を当てることで本来の生物の持っている色彩を知ることができることなど大きく補助的に貢献することができるものである。これらを具現化するためには、上述したように、ターゲットライト１９とシャッタースイッチ１４とを連動させる等すればよい。
【００１７】
【発明の効果】
以上、説明したように、本発明に係るカメラは、撮像レンズの光軸と水平方向であってその近傍位置に照射手段を設けた構造にしたことにより、特に近距離撮影において、撮像レンズで取り込む被写体とファインダーから覗き込む被写体のズレ、即ち、パララックスが大きくなるところを照射手段の照明により、その撮像レンズで取り込む被写体の光軸水平位置が一番明るく、上下方向に行くにつれて暗くなることをファインダーからも同様に見ることができるため、その照明の具合をみて撮像レンズで取り込む被写体の範囲を設定することが容易に行え、結果的に撮像レンズで取り込む被写体とのパララックスを減少させることができるという効果がある。
【図面の簡単な説明】
【図１】本発明に係るカメラの斜視図である。
【図２】同背後からみたカメラの斜視図である。
【図３】同ターゲットライト、撮像レンズ、ファインダーの位置関係からみた照明範囲と被写体範囲との関係を示した説明図である。
【図４】同ターゲットライト、撮像レンズ、ファインダーの位置関係からみた照明範囲と被写体範囲との関係を示した説明図である。
【図５】従来技術におけるファインダーから覗きこんだときに撮像レンズから取り込む被写体の様子を示した説明図である。
【符号の説明】
１１；ボデイ、１２；撮像レンズ、１３；レンズ部、１４；シャッタースイッチ、１５；絞りボタン、１６；ファインダー、１７；外部ストロボコネクタ、１８；光軸、１９；ターゲットライト（照明手段）、２０；ターゲットライトオン／オフボタン、２１；ライト軸、３１；ファインダー被写体範囲、３２；撮像レンズ被写体範囲、３３；被写体、３４；照明範囲。
【図１】
2004094156.tif 000003
【図２】
2004094156.tif 000004
【図３】
2004094156.tif 000005
【図４】
2004094156.tif 000006
【図５】
2004094156.tif 000007